(57)【要約】【課題】  部品点数の増大を防止して、製品コストの上昇を抑制し得るアコーディオンドアを提供する。【解決手段】  連接リンク１０ａ〜１０ｄで構成した骨組み４の両側に表面材５を取着して本体部３を形成し、本体部３を操作装置９により伸縮可能とし、連接リンク１０ａ〜１０ｄには連接リンクを伸方向あるいは縮方向に付勢する付勢手段を備えたアコーディオンドアにおいて、付勢手段は、連接リンクを連結する支軸１３の端部を該連結リンクを構成するリンク片に当接させて、該連接リンクの伸縮にともなう支軸１３の捩じりにより連接リンクを付勢する。【選択図】      図１
2006045800.tif 000002
【特許請求の範囲】
【請求項１】
連接リンクで構成した骨組みの両側に表面材を取着して本体部を形成し、前記本体部を操作装置により伸縮可能とし、前記連接リンクには前記連接リンクを伸方向あるいは縮方向に付勢する付勢手段を備えたアコーディオンドアにおいて、
前記付勢手段は、前記連接リンクを連結する支軸の端部を該連結リンクを構成するリンク片に当接させて、該連接リンクの伸縮にともなう前記支軸の捩じりにより連接リンクを付勢することを特徴とするアコーディオンドア。
【請求項２】
前記支軸の上下両端部を円弧状に屈曲し、その先端部を前記リンク片に当接させたことを特徴とする請求項１記載のアコーディオンドア。
【請求項３】
前記連接リンクを多数の平行四節リンクを連結して構成し、前記平行四節リンクのリンク片を前記支軸で回動可能に連結し、前記支軸の上下両端部を該支軸の両側に位置する前記リンク片に係止したことを特徴とする請求項２記載のアコーディオンドア。
【請求項４】
前記支軸の上端部と下端部との挟み角を、前記リンク片の最大挟み角に等しい角度として、前記連接リンクを畳み込んだとき、前記支軸が捩じられて前記連接リンクを押し拡げる付勢力が生成されることを特徴とする請求項３記載のアコーディオンドア。
【請求項５】
前記本体部の一側を固定框に取着するとともに他側に移動框を取着し、前記付勢手段の付勢力による前記移動框の移動速度を制限する速度調整装置を備えたことを特徴とする請求項１乃至４のいずれか１項に記載のアコーディオンドア。
【発明の詳細な説明】
【技術分野】
【０００１】
この発明は、室内空間を適宜に区画するアコーディオンドアに関するものである。
【背景技術】
【０００２】
アコーディオンドアは、パンタグラフ状に伸縮可能とした構造体に表面材が取着され、その構造体を伸縮させることにより、表面材で室内空間を適宜に区画するものである。
このようなアコーディオンドアでは、構造体をドア開放方向あるいは閉鎖方向に伸縮するような付勢手段を備え、ドアの開閉操作後にはその付勢手段の付勢力により、構造体をドア開放方向あるいは閉鎖方向に自動的に伸縮させて、その操作性を向上させる構成としたものが提案されている。
【０００３】
特許文献１には、ドア開きばね体により、折畳ドアを自動的に開放する構成が開示されている。
【特許文献１】特開昭５３−５４８４４号公報
【発明の開示】
【発明が解決しようとする課題】
【０００４】
特許文献１に記載された折畳ドアでは、屈曲自在体あるいは蝶番構造体にドア開きばね体を別個に取着する必要がある。また、屈曲自在体あるいは蝶番構造体の寸法が異なる場合には、十分な付勢力を確保するために、ばね体の寸法を変更する必要がある。
【０００５】
従って、屈曲自在体あるいは蝶番構造体とは別個のばね体が必要となるとともに、折畳ドアのサイズに応じて複数種類のばね体を用意する必要があるため、部品点数が増大して製品コストが上昇するという問題点がある。
【０００６】
この発明の目的は、部品点数の増大を防止して、製品コストの上昇を抑制し得るアコーディオンドアを提供することにある。
【課題を解決するための手段】
【０００７】
請求項１では、連接リンクで構成した骨組みの両側に表面材を取着して本体部を形成し、前記本体部を操作装置により伸縮可能とし、前記連接リンクには前記連接リンクを伸方向あるいは縮方向に付勢する付勢手段を備えたアコーディオンドアにおいて、前記付勢手段は、前記連接リンクを連結する支軸の端部を該連結リンクを構成するリンク片に当接させて、該連接リンクの伸縮にともなう前記支軸の捩じりにより連接リンクを付勢する。
【０００８】
請求項２では、前記支軸の上下両端部を円弧状に屈曲し、その先端部を前記リンク片に当接させた。
請求項３では、前記連接リンクを多数の平行四節リンクを連結して構成し、前記平行四節リンクのリンク片を前記支軸で回動可能に連結し、前記支軸の上下両端部を該支軸の両側に位置する前記リンク片に係止した。
【０００９】
請求項４では、前記支軸の上端部と下端部との挟み角を、前記リンク片の最大挟み角に等しい角度として、前記連接リンクを畳み込んだとき、前記支軸が捩じられて前記連接リンクを押し拡げる付勢力が生成される。
【００１０】
請求項５では、前記本体部の一側を固定框に取着するとともに他側に移動框を取着し、前記付勢手段の付勢力による前記移動框の移動速度を制限する速度調整装置を備えた。
【発明の効果】
【００１１】
本発明によれば、部品点数の増大を防止して、製品コストの上昇を抑制し得るアコーディオンドアを提供することができる。
【発明を実施するための最良の形態】
【００１２】
以下、この発明を具体化した一実施の形態を図面に従って説明する。図１及び図２に示すアコーディオンドアは、ハンガーレール１に多数のランナー２が移動可能に支持され、そのランナー２にアコーディオンドアの本体部３が吊下支持されている。
【００１３】
前記本体部３は、パンタグラフ状に伸縮する骨組み４の前後両側に表面材５が取着され、その骨組み４の一端に移動框６が取着され、他方に固定框７が取着されている。前記固定框７は壁面８に固定され、移動框６の上下方向中央部には取っ手９が取着されている。
【００１４】
そして、前記骨組み４が前記ランナー２に所定間隔毎に吊下支持され、取っ手９を操作することによりハンガーレール１に沿って伸縮可能となっている。
前記骨組み４は、前記移動框６と固定框７との間に上下方向に４組の連接リンク１０ａ〜１０ｄが連結されて構成される。各連接リンク１０ａ〜１０ｄは、図３及び図４に示すように、多数の平行四節リンクが連結軸１１で連結され、各平行四節リンクは４枚のリンク片１２が支軸１３を支点として回動可能に連結されている。そして、最上部の連接リンク１０ａの連結軸１１が一つおきに前記ランナー２に吊下支持されている。
【００１５】
前記各支軸１３は、各連接リンク１０ａ〜１０ｄを上下方向に貫通する一本の軸で構成され、弾性を有する鋼材で形成される。そして、一つおきの平行四節リンクの支軸１３の上下両端部は円弧状に屈曲されて、係止部１４ａ，１４ｂが形成されている。
【００１６】
前記係止部１４ａ，１４ｂは、図４に示すようにその挟み角がほぼ９０度となるように屈曲され、係止部１４ａは連接リンク１０ａにおいて当該支軸１３の一方に位置するリンク片１２の内側面に当接し、係止部１４ｂは連接リンク１０ｄにおいて当該支軸１３の他方に位置するリンク片１２の内側面に当接している。
【００１７】
そして、図４に示す状態、すなわち連接リンク１０ａ〜１０ｄを引き伸ばした状態では、支軸１３は付勢力をほとんど発生せず、図５に示すように、連接リンク１０ａ〜１０ｄを畳み込んだ状態では、リンク片１２により係止部１４ａ，１４ｂが互いに近づく方向に押圧されて支軸１３が捩じられる。
【００１８】
従って、連接リンク１０ａ〜１０ｄを畳み込むにしたがって、係止部１４ａ，１４ｂを備えた支軸１３には連接リンク１０ａ〜１０ｄを押し拡げようとする付勢力が発生するようになっている。
【００１９】
前記表面材５間において、前記固定框７の上下方向中央部には、連接リンク１０ａ〜１０ｄが押し拡げられる速度を調整するための速度調整装置１５が配設されている。この速度調整装置１５は、図６に示すように、ケース１６内に第一の平歯車１７と、その第一の平歯車１７に噛み合う第二の平歯車１８と、その第二の平歯車１８に噛み合う第三の平歯車１９とが回転可能に支持されている。
【００２０】
前記第三の平歯車１９は、オイルダンパー２０の入力軸２１に嵌合され、第三の平歯車１９の回転速度は、このオイルダンパー２０により所定速度以下に制限される。
前記第一の平歯車１７には、プーリー２２が一体に形成され、そのプーリー２２にはワイヤー２３の一端が巻着されている。また、前記プーリー２２内には渦巻きばね２４が配設され、その付勢力によりプーリー２２はワイヤー２３の巻取り方向に常時付勢されている。
【００２１】
前記ワイヤー２３の他端は、図１に示すように、表面材５間を前記移動框６に向かって延設され、移動框６に設けられた支持具２５に取着されている。
次に、上記のように構成されたアコーディオンドアの動作を説明する。取っ手９を操作して、移動框６をドア開放方向、すなわち固定框７に向かって移動させると、連接リンク１０ａ〜１０ｄが折り畳まれ、係止部１４ａ，１４ｂを備えた支軸１３が捩じられて蓄勢される。また、ワイヤー２３は渦巻きばね２４の付勢力に基づいてプーリー２２に順次巻き取られる。
【００２２】
移動框６を所望位置まで移動させた後、取っ手９を放すと、支軸１３の付勢力により連接リンク１０ａ〜１０ｄが押し拡げられ、移動框６がドア閉鎖方向に移動される。このとき、ワイヤー２３がプーリー２２から引き出されるが、その引き出し速度はオイルダンパー２０により所定速度以下となる。従って、移動框６の移動速度は所定速度以下に制限される。
【００２３】
上記のように構成されたアコーディオンドアでは、次に示す作用効果を得ることができる。
（１）支軸１３の捩りを利用した付勢手段の付勢力により、ドアの閉鎖を自動的に行うことができる。
（２）ドアの閉鎖動作時には、オイルダンパー２０により移動框６の移動速度を所定速度以下に制限することができる。従って、移動框６を閉鎖方向に緩やかに移動させて、居住者との不用意な衝突を防止することができる。
（３）ドアを閉鎖するための付勢手段は支軸１３の上下両端部を折り曲げて、係止部１４ａ，１４ｂを形成し、その係止部１４ａ，１４ｂをリンク片１２に当接させることにより構成される。支軸１３は及びリンク片１２は、連接リンク１０ａ〜１０ｄを構成する部品として、従来から使用されている。従って、支軸１３の上下両端部に係止部１４ａ，１４ｂを形成するのみで付勢手段を構成することができるので、部品点数の増大を防止することができる。
（４）係止部１４ａ，１４ｂを備えた支軸１３の本数を調整することにより、連接リンク１０ａ〜１０ｄを押し拡げるための付勢力を調整することができる。従って、本体部３のサイズの変更にも容易に対応することができる。
【００２４】
上記実施の形態は、以下の態様で実施してもよい。
・支軸１３の捩りによる付勢力で、連接リンク１０ａ〜１０ｄを畳み込む方向に付勢するようにすることも可能である。この場合には、係止部１４ａ，１４ｂを同一面内に位置するように折り曲げ、各係止部１４ａ，１４ｂの先端部をリンク片１２に固定する必要がある。
【図面の簡単な説明】
【００２５】
【図１】一実施の形態のアコーディオンドアを示す正面図である。
【図２】アコーディオンドアを示す平面図である。
【図３】連接リンクと支軸を示す正面図である。
【図４】連接リンクと支軸を示す平面図である。
【図５】連接リンクを畳み込んだ状態を示す平面図である。
【図６】速度調整装置を示す正面図である。
【符号の説明】
【００２６】
３          本体部
４          骨組み
５          表面材
９          操作装置（取っ手）
１０ａ〜１０ｄ        連接リンク
１２        リンク片
１３        付勢手段（支軸）
１４ａ，１４ｂ      係止部
１５        速度調整装置
【図１】
2006045800.tif 000003
【図２】
2006045800.tif 000004
【図３】
2006045800.tif 000005
【図４】
2006045800.tif 000006
【図５】
2006045800.tif 000007
【図６】
2006045800.tif 000008